(57)【要約】【課題】ユーザが容易にファームウェア更新について確認することが可能となる電子機器を提供する。【解決手段】所定のタイミングで、所定のＲＳＳ（RDF Site Summary）アドレスにネットワークを介してアクセスし、ＲＳＳで記述されたファームウェア更新情報をネットワークを介して取得する取得部と、前記取得部が取得したファームウェア更新情報に基づき報知部に報知させる報知制御部と、を備えた電子機器とした。【選択図】図２
2011109195.tif 000002
【特許請求の範囲】
【請求項１】
所定のタイミングで、所定のＲＳＳ（RDF Site Summary）アドレスにネットワークを介してアクセスし、ＲＳＳで記述されたファームウェア更新情報をネットワークを介して取得する取得部と、
前記取得部が取得したファームウェア更新情報に基づき報知部に報知させる報知制御部と、を備えたことを特徴とする電子機器。
【請求項２】
前記報知制御部は、前記取得部が取得したファームウェア更新情報に含まれるバージョン情報と、本機器のファームウェアのバージョン情報との比較結果に応じて、報知を切り替えることを特徴とする請求項１に記載の電子機器。
【請求項３】
記録媒体からコンテンツを再生する機能を有し、
コンテンツが再生される記録媒体からコンテンツメーカー情報を読取る読取り部を備え、
前記取得部は、前記所定のタイミングで、前記読取り部により読取られたコンテンツメーカー情報に対応したＲＳＳアドレスにネットワークを介してアクセスし、ＲＳＳで記述されたコンテンツメーカーのＣＭ（Commercial）情報をネットワークを介して取得し、
前記報知制御部は、前記取得部が取得したコンテンツメーカーのＣＭ情報に基づき前記報知部にＣＭ情報を報知させることを特徴とする請求項１または請求項２に記載の電子機器。
【請求項４】
前記取得部は、前記所定のタイミングで、操作部の操作により設定された地域情報に対応したＲＳＳアドレスにネットワークを介してアクセスし、ＲＳＳで記述された地域関連情報をネットワークを介して取得し、
前記報知制御部は、前記取得部が取得した地域関連情報に基づき前記報知部に地域関連情報を報知させることを特徴とする請求項１〜請求項３のいずれかに記載の電子機器。
【請求項５】
前記報知とは表示であり、前記所定のタイミングとは、機器の電源オン時および／または音声ファイル再生開始時であることを特徴とする請求項１〜請求項４のいずれかに記載の電子機器。
【発明の詳細な説明】
【技術分野】
【０００１】
本発明は、ネットワーク接続が可能な電子機器に関する。
【背景技術】
【０００２】
Ｂｌｕ−ｒａｙ  Ｄｉｓｃプレーヤを始めとする様々な電子機器は、ハードウェアの基本的な制御を行うためのソフトウェアであるファームウェアを内蔵している。
【０００３】
ファームウェアは規格の更新や重大なバグの発見時などに更新され、インターネット接続機能を有する電子機器であれば、更新されたファームウェアをインターネットを介してダウンロードし、電子機器のファームウェアを更新することが可能となっている。
【先行技術文献】
【特許文献】
【０００４】
【特許文献１】特開２００５−１９２００３号公報
【特許文献２】特開２００８−２６３５１２号公報
【発明の概要】
【発明が解決しようとする課題】
【０００５】
しかし、上記従来の電子機器では、ファームウェアの更新を確認するためには、電子機器のメーカーのサイトにアクセスし、サイト内を辿る必要があったので、ユーザにとって煩わしいといった問題があった。
【０００６】
なお、特許文献１には、所定のウェブサイトにアクセスして得たニュースや天気予報等の文字列情報を映像情報に重ねて合成して、該文字列情報を所定方向にスクロールして表示させる録画機器が開示されているが、ファームウェアの更新については言及されていない。
【０００７】
また、特許文献２には、リモコンに備えられたＲＳＳ（RDF Site Summary）表示ボタンの押下げにより、インターネットを介して配信されたＲＳＳ情報をテレビジョン放送視聴画像に重畳して画面に表示する処理を実行するテレビジョン受信機が開示されているが、ファームウェアの更新についてはやはり言及されていない。
【０００８】
上記問題点を鑑み、本発明は、ユーザが容易にファームウェア更新について確認することが可能となる電子機器を提供することを目的とする。
【課題を解決するための手段】
【０００９】
上記目的を達成するために本発明の電子機器は、所定のタイミングで、所定のＲＳＳ（RDF Site Summary）アドレスにネットワークを介してアクセスし、ＲＳＳで記述されたファームウェア更新情報をネットワークを介して取得する取得部と、
前記取得部が取得したファームウェア更新情報に基づき報知部に報知させる報知制御部と、を備えた構成とした。
【００１０】
このような構成によれば、所定のタイミングで、ＲＳＳで記述されたファームウェア更新情報を自動的に取得し、報知部にファームウェア更新に関する報知をさせるので、ユーザは容易にファームウェア更新について確認することができる。
【００１１】
また、上記構成において、前記報知制御部は、前記取得部が取得したファームウェア更新情報に含まれるバージョン情報と、本機器のファームウェアのバージョン情報との比較結果に応じて、報知を切り替える構成としてもよい。
【００１２】
このような構成によれば、ファームウェアのバージョンアップが可能である旨、および本機器のファームウェアのバージョンが最新である旨をユーザに通知することができる。
【００１３】
また、上記いずれかの構成において、記録媒体からコンテンツを再生する機能を有し、コンテンツが再生される記録媒体からコンテンツメーカー情報を読取る読取り部を備え、
前記取得部は、前記所定のタイミングで、前記読取り部により読取られたコンテンツメーカー情報に対応したＲＳＳアドレスにネットワークを介してアクセスし、ＲＳＳで記述されたコンテンツメーカーのＣＭ（Commercial）情報をネットワークを介して取得し、
前記報知制御部は、前記取得部が取得したコンテンツメーカーのＣＭ情報に基づき前記報知部にＣＭ情報を報知させる構成としてもよい。
【００１４】
このような構成によれば、再生するコンテンツのコンテンツメーカーのＣＭ情報が報知部により報知されるので、自分の嗜好に合った有益な情報をユーザが得ることができ、また、コンテンツメーカーにとっても販売促進に繋がるといった効果が期待できる。
【００１５】
また、上記いずれかの構成において、前記取得部は、前記所定のタイミングで、操作部の操作により設定された地域情報に対応したＲＳＳアドレスにネットワークを介してアクセスし、ＲＳＳで記述された地域関連情報をネットワークを介して取得し、
前記報知制御部は、前記取得部が取得した地域関連情報に基づき前記報知部に地域関連情報を報知させる構成としてもよい。
【００１６】
このような構成によれば、ユーザが自分の居住する地域を設定しておけば、自分が居住する地域に関連する情報が報知部により報知されるので、ユーザは有益な情報を得ることができる。
【００１７】
また、上記いずれかの構成において、前記報知とは表示であり、前記所定のタイミングとは、機器の電源オン時および／または音声ファイル再生開始時であるようにしてもよい。
【００１８】
このような構成によれば、従来、機器の電源オン時に所定のオープニング画面が表示されたり、音声ファイル再生時に再生中のファイルに関する情報などが表示されたりしていたところ、ファームウェア更新に関する画像などが表示されることとなり、より有益な情報をユーザに提供することができる。
【発明の効果】
【００１９】
本発明の電子機器によれば、ユーザが容易にファームウェア更新について確認することが可能となる。
【図面の簡単な説明】
【００２０】
【図１】本発明に係るＢＤ（Blu-ray Disc）プレーヤの概略構成を示すブロック図である。
【図２】本発明に係る第１実施形態の表示処理に関するフローチャートである。
【図３】本発明に係る第１実施形態における画面表示例を示す図である。
【図４】本発明に係る第１実施形態における画面表示例を示す図である。
【図５】本発明に係る第２実施形態の表示処理に関するフローチャートである。
【図６】本発明に係る第２実施形態における画面表示例を示す図である。
【図７】本発明に係る第２実施形態における画面表示例を示す図である。
【図８】本発明に係る第３実施形態の表示処理に関するフローチャートである。
【図９】本発明に係る第３実施形態における画面表示例を示す図である。
【図１０】本発明に係る第３実施形態における画面表示例を示す図である。
【発明を実施するための形態】
【００２１】
以下に本発明の実施形態を図面を参照して説明する。
【００２２】
ここでは、本発明に係る電子機器としてＢＤ（Blu-ray Disc）プレーヤを一例として説明する。図１は、本発明に係るＢＤプレーヤ１の概略構成を示すブロック図である。
【００２３】
ＢＤプレーヤ１は、光ディスクドライブ２と、ＡＶデコーダ部３と、音声出力部４と、映像出力部５と、ＯＳＤ（On Screen Display）部６と、リモコン受信部７と、フラッシュメモリ８と、通信部９と、システムマイコン１０とを備えている。また、音声出力部４はスピーカ１２に接続され、映像出力部５は表示部１３に接続される。
【００２４】
光ディスクドライブ２は、内部に装填されたＢＤ等の光ディスクから映像音声データ等を読み出して出力する。
【００２５】
ＡＶデコーダ部３は、光ディスクドライブ２が出力する映像音声データを映像データおよび音声データに分離し、分離した映像データをデコードして、デコード後の映像信号を映像出力部５に出力すると共に、分離した音声データをデコードして、デコード後の音声信号を音声出力部４に出力する。
【００２６】
そして、映像出力部５は、ＡＶデコーダ部３から入力される映像信号を表示部１３の表示に適した形式の映像信号に変換して表示部１３に出力する。表示部１３は、入力される映像信号に基づき映像を表示する。また、音声出力部４は、ＡＶデコーダ部３から入力される音声信号をアナログ信号に変換してスピーカ１２に出力し、スピーカ１２から音声が発生する。
【００２７】
また、ＢＤプレーヤ１は、音声ファイル（例えば、ＭＰ３ファイルなど）を光ディスクから再生する機能を有しており、音声ファイルを再生する場合は、光ディスクドライブ２が出力する圧縮音声データをＡＶデコーダ部３がデコードし、デコード後の音声信号が音声出力部４に出力され、スピーカ１２から音声が再生される。
【００２８】
ＯＳＤ部６は、システムマイコン１０の指示によりＯＳＤ画像データを生成し映像出力部５に出力し、表示部１３にＯＳＤ画像を表示させる。
【００２９】
リモコン受信部７は、リモコン１１から操作に応じた赤外線信号を受信し、受信した赤外線信号をリモコンコードに変換しシステムマイコン１０に出力する。
【００３０】
フラッシュメモリ８は、電源が切られても記憶データを維持する記憶装置であり、各種情報が記憶される。通信部９は、インターネット１４を介して各サーバ１５と通信を行う。
【００３１】
また、システムマイコン１０は、例えば、ＲＯＭ、ＲＡＭおよびＣＰＵを備えた１チップマイコンからなり、ＢＤプレーヤ１全体を制御する。
【００３２】
＜第１実施形態＞
次に、本発明に係るＢＤプレーヤ１によるファームウェア更新に関する表示処理について図２に示すフローチャートを用いて説明する。
【００３３】
ここで、図２のフローチャートは、所定のタイミング、具体的には、機器の電源オン時および光ディスクからの音声ファイル再生開始時に開始される。
【００３４】
フローが開始されると、まず、ステップＳ２０で、通信部９がシステムマイコン１０の指示により、インターネット１４を介して所定のＲＳＳ（RDF Site Summary）アドレスにアクセスする。この所定のＲＳＳアドレスは、工場出荷時にフラッシュメモリ８に記憶されており、ＢＤプレーヤ１の機種専用のアドレスとなっている。
【００３５】
次に、ステップＳ２１で、通信部９は、ステップＳ２０でアクセスされたＲＳＳアドレスのサーバ１５からインターネット１４を介して、ＲＳＳで記述されたファームウェア更新情報を取得する。このファームウェア更新情報は、ファームウェアがバージョンアップされるたびに更新され、バージョンアップされたバージョンナンバー（例えば、１．５、２．０など）を含んでいる。バージョンナンバーは、バージョンアップごとに大きくなる。
【００３６】
そして、ステップＳ２２で、システムマイコン１０は、通信部９が取得したファームウェア更新情報に含まれるバージョンナンバーと、ＢＤプレーヤ１のファームウェアのバージョンナンバーとを比較し、ファームウェア更新情報に含まれるバージョンナンバーの方が大きい場合（ステップＳ２２のＹ）、ステップ２３に進む。
【００３７】
ステップＳ２３で、ＯＳＤ部６はシステムマイコン１０の指示により、ＯＳＤ画像データを生成し映像出力部５に出力し、表示部１３に第１の所定画像が表示される。例えば、図３に示すような第１の所定画像Ａが表示される。このような表示により、ファームウェアのバージョンアップが可能である旨をユーザに通知することができる。
【００３８】
また、ステップＳ２２で、ＢＤプレーヤ１のファームウェアのバージョンナンバーと、ファームウェア更新情報に含まれるバージョンナンバーとが同じであれば（ステップＳ２２のＮ）、ステップＳ２４に進み、ＯＳＤ部６はシステムマイコン１０の指示により、ＯＳＤ画像データを生成し映像出力部５に出力し、表示部１３に第２の所定画像が表示される。例えば、図４に示すような第２の所定画像Ｂが表示される。このような表示により、ＢＤプレーヤ１のファームウェアが最新でありバージョンアップが不要であることをユーザに通知できる。
【００３９】
このように、機器の電源オン時、光ディスクからの音声ファイル再生開始時のタイミングで自動的にインターネットを介してファームウェア更新情報を取得し、ファームウェアのバージョンアップが可能である旨などを通知するので、ユーザは容易にファームウェア更新について確認できる。
【００４０】
また、従来、機器の電源オン時は所定のオープニング画面が表示され、音声ファイル再生時には再生中のファイルに関する情報などが表示されるところ、ファームウェアの更新に関する情報が表示されるので、より有益な情報をユーザに提供できる。
【００４１】
＜第２実施形態＞
本発明に係るＢＤプレーヤ１は、以下に説明するようなコンテンツメーカーのＣＭ（Commercial）表示機能をさらに有していてもよい。ここでは、図５に示すフローチャートを用いて説明する。
【００４２】
ここで、コンテンツと共にコンテンツメーカー情報が記録された光ディスクを光ディスクドライブ２に装填したときに、光ディスクドライブ２が光ディスクからコンテンツメーカー情報を読み取り、読み取られたコンテンツメーカー情報をシステムマイコン１０がフラッシュメモリ８に上書きで更新記憶させるとする。
【００４３】
そして、機器の電源オン時および光ディスクからの音声ファイル再生開始時のタイミングで、図５のフローチャートが開始され、所定のＲＳＳアドレスにアクセスし（ステップＳ５０）、ファームウェア更新情報を取得すること（ステップＳ５１）は上述した図２と同様である。
【００４４】
次に、ステップＳ５２で、システムマイコン１０は、フラッシュメモリ８に記憶されたコンテンツメーカー情報に対応したＲＳＳアドレスにアクセスするよう通信部９に指示し、通信部９がインターネット１４を介してアクセスを行う。なおここでは、コンテンツメーカーとＲＳＳアドレスとを対応させたテーブルがフラッシュメモリ８に工場出荷時に記憶されているので、このテーブルを利用する。
【００４５】
そして、ステップＳ５３で、通信部９は、ステップＳ５２でアクセスされたＲＳＳアドレスのサーバ１５からインターネット１４を介して、ＲＳＳで記述されたコンテンツメーカーのＣＭ情報を取得する。コンテンツメーカーのＣＭ情報は、定期的にコンテンツメーカーにより更新され、例えば、コンテンツの最新リリース情報を含んでいる。
【００４６】
次に、ステップＳ５４で、システムマイコン１０は、通信部９が取得したファームウェア更新情報に含まれるバージョンナンバーと、ＢＤプレーヤ１のファームウェアのバージョンナンバーとを比較し、ファームウェア更新情報に含まれるバージョンナンバーの方が大きい場合（ステップＳ５４のＹ）、ステップ５５に進む。
【００４７】
ステップＳ５５で、システムマイコン１０は、取得されたコンテンツメーカーのＣＭ情報に基づきＯＳＤ部６に指示し、ＯＳＤ部６がＯＳＤ画像データを生成することで、上記第１の所定画像と共にコンテンツメーカーのＣＭが表示部１３に表示される。例えば、図６に示すような第１の所定画像ＡおよびＣＭ画像Ｃが表示される。ＣＭ表示については、文字情報がスクロール表示されるようにするとよい。
【００４８】
また、ステップＳ５４で、ＢＤプレーヤ１のファームウェアのバージョンナンバーと、ファームウェア更新情報に含まれるバージョンナンバーとが同じであれば（ステップＳ５４のＮ）、ステップＳ５６に進む。
【００４９】
ステップＳ５６で、システムマイコン１０は、取得されたコンテンツメーカーのＣＭ情報に基づきＯＳＤ部６に指示し、ＯＳＤ部６がＯＳＤ画像データを生成することで、上記第２の所定画像と共にコンテンツメーカーのＣＭが表示部１３に表示される。例えば、図７に示すような第２の所定画像ＢおよびＣＭ画像Ｃが表示される。
【００５０】
このように、コンテンツメーカー情報が記録された光ディスクのうち最後に再生されたもののコンテンツメーカーのＣＭを表示することで、ユーザは自分の嗜好に合う有益な情報を得ることができ、コンテンツメーカーにとっても販売促進に繋がるといった効果が期待できる。
【００５１】
なお、コンテンツメーカーのＣＭ情報にインターネット販売サイトのアドレスを含ませておいて、ＣＭ表示においてこのアドレスを表示させ、ユーザがリモコン１１の操作により表示されたアドレスを選択すると、システムマイコン１０の指示により通信部９が、選択されたアドレスにアクセスし、インターネット販売サイトが表示部１３に表示されるようにしてもよい。これにより、一層の販売促進が期待できる。
【００５２】
＜第３実施形態＞
本発明に係るＢＤプレーヤ１は、以下に説明するような地域に関連する情報（天気、ニュースなど）を表示する機能をさらに有するようにしてもよい。ここでは、図８に示すフローチャートを用いて説明する。
【００５３】
ここで、上述したようにフラッシュメモリ８にコンテンツメーカー情報が更新記憶されると共に、さらに、ユーザはリモコン１１の操作により自分の居住している地域（例えば、大阪など）をフラッシュメモリ８に設定できるものとする。
【００５４】
そして、機器の電源オン時および光ディスクからの音声ファイル再生開始時のタイミングで、図８のフローチャートが開始され、所定のＲＳＳアドレスにアクセスし（ステップＳ８０）、ファームウェア更新情報を取得すること（ステップＳ８１）は上述と同様である。そして、コンテンツメーカーのＲＳＳアドレスにアクセスし（ステップＳ８２）、コンテンツメーカーのＣＭ情報を取得すること（ステップＳ８３）も上述と同様である。
【００５５】
そして、ステップＳ８４で、システムマイコン１０は、フラッシュメモリ８に設定された地域情報に対応したＲＳＳアドレスにアクセスするよう通信部９に指示し、通信部９がインターネット１４を介してアクセスを行う。なおここでは、地域とＲＳＳアドレスとを対応させたテーブルがフラッシュメモリ８に工場出荷時に記憶されているので、このテーブルを利用する。
【００５６】
そして、ステップＳ８５で、通信部９は、ステップＳ８４でアクセスされたＲＳＳアドレスのサーバ１５からインターネット１４を介して、ＲＳＳで記述された地域関連情報を取得する。地域関連情報は、定期的に提供者により更新され、例えば、地域の天気予報やニュースを含んでいる。
【００５７】
次に、ステップＳ８６で、システムマイコン１０は、通信部９が取得したファームウェア更新情報に含まれるバージョンナンバーと、ＢＤプレーヤ１のファームウェアのバージョンナンバーとを比較し、ファームウェア更新情報に含まれるバージョンナンバーの方が大きい場合（ステップＳ８６のＹ）、ステップ８７に進む。
【００５８】
ステップＳ８７で、システムマイコン１０は、取得されたコンテンツメーカーのＣＭ情報および地域関連情報に基づきＯＳＤ部６に指示し、ＯＳＤ部６がＯＳＤ画像データを生成することで、上記第１の所定画像と共にコンテンツメーカーのＣＭおよび地域関連情報が表示部１３に表示される。例えば、図９に示すような第１の所定画像Ａ、ＣＭ画像Ｃ並びに地域関連情報画像Ｄが表示される。ＣＭ表示および地域関連情報表示については、文字情報がスクロール表示されるようにするとよい。
【００５９】
また、ステップＳ８６で、ＢＤプレーヤ１のファームウェアのバージョンナンバーと、ファームウェア更新情報に含まれるバージョンナンバーとが同じであれば（ステップＳ８６のＮ）、ステップＳ８８に進む。
【００６０】
ステップＳ８８で、システムマイコン１０は、取得されたコンテンツメーカーのＣＭ情報および地域関連情報に基づきＯＳＤ部６に指示し、ＯＳＤ部６がＯＳＤ画像データを生成することで、上記第２の所定画像と共にコンテンツメーカーのＣＭおよび地域関連情報が表示部１３に表示される。例えば、図１０に示すような第２の所定画像Ｂ、ＣＭ画像Ｃ並びに地域関連情報画像Ｄが表示される。
【００６１】
このように、ユーザが居住する地域の天気予報やニュースなどの情報が表示されるので、ユーザにとって有益な情報をさらに提供できる。
【００６２】
以上、本発明に係る実施形態について説明したが、実施形態は種々の変更を加えることが可能である。
【００６３】
例えば、上述した第２実施形態および第３実施形態において、ファームウェア更新情報表示機能、ＣＭ表示機能並びに地域関連情報表示機能の各機能について機能を有効にするか否かをユーザがリモコン１１の操作により設定できるようにしてもよい。この場合、有効にされた機能のみを処理するようにし、すべての機能が無効にされていれば、例えば従来表示されるようなオープニング画像や再生中のファイルに関する情報などを表示するようにすればよい。
【００６４】
また、例えば、ユーザがリモコン１１の操作により、所望のＲＳＳアドレスをフラッシュメモリ８に登録できるようにし、図２、図５、図８のフローチャートの処理において、登録されたＲＳＳアドレスにもアクセスし、ＲＳＳで記述された情報を取得し、取得された情報に基づいた表示をさらに行うようにしてもよい。なお、ＲＳＳアドレスの登録には、例えば、表示部１３に表示されるソフトウェアキーボードを用いるようにすればよい。
【００６５】
また、例えば、第１実施形態〜第３実施形態において、ファームウェア更新に関する表示については、取得したファームウェア更新情報に記載された要約内容をそのまま表示するようにしてもよい（例えば、「お使いのセットのファームウェアの最新バージョンＶｅｒ．２．０がリリースされました。」と文字表示させるなど）。
【００６６】
また、例えば、ファームウェア更新に関する表示については、ＬＥＤの点灯に代えてもよい。また、ファームウェア更新に関する情報、ＣＭ情報、地域関連情報を音声で報知するようにしてもよい。
【００６７】
また、本発明は、ＢＤプレーヤに限らず、例えば、テレビ受信機、ゲーム機器など、ネットワーク接続が可能な様々な機器に適用可能である。
【符号の説明】
【００６８】
１  ＢＤプレーヤ
２  光ディスクドライブ
３  ＡＶデコーダ部
４  音声出力部
５  映像出力部
６  ＯＳＤ部
７  リモコン受信部
８  フラッシュメモリ
９  通信部
１０  システムマイコン
１１  リモコン
１２  スピーカ
１３  表示部
１４  インターネット
１５  サーバ
【図１】
2011109195.tif 000003
【図２】
2011109195.tif 000004
【図３】
2011109195.tif 000005
【図４】
2011109195.tif 000006
【図５】
2011109195.tif 000007
【図６】
2011109195.tif 000008
【図７】
2011109195.tif 000009
【図８】
2011109195.tif 000010
【図９】
2011109195.tif 000011
【図１０】
2011109195.tif 000012